(57)【要約】【課題】裏蓋のアライメント修正作業を要することなく裏蓋の蓋表示の向きを腕時計の１２時−６時方向に整合させて組立てることができる時計を提供する。【解決手段】胴15に螺合された裏蓋31が蓋表示を有した腕時計11を前提とする。胴15は蓋取付け部17を備え、蓋受け部はねじ山18及びこのねじ山18より胴15の内部15a側に蓋受け面19を有する。裏蓋31は蓋受け面19に重ねられる蓋板32と押えリング36とを備える。蓋板32は、周面に環状凸部33を有し、表面に蓋表示を有する。押えリング36は、ねじ山18に螺合されるねじ山37を有する。両ねじ山の螺合により押えリング36を蓋取付け部17に取付けて、リング36と蓋受け面19の間に環状凸部33を挟持して蓋板32を固定する。蓋取付け部17に回り止め部23を設ける。回り止め部23に係合する係合部34を蓋板32に設ける。係合部34と回り止め部23が係合した状態で蓋表示が時刻表示部の１２時−６時方向に整合するように蓋表示を設けたことを特徴としている。【選択図】      図３
2010127683.tif 000002
【特許請求の範囲】
【請求項１】
胴に螺合された裏蓋が時刻表示部の１２時−６時方向に整合して配置される蓋表示を有した携帯時計において、
前記胴がねじ山及びこのねじ山より前記胴の内部側に蓋受け面を有した円環形の蓋取付け部を備え、
前記裏蓋が、周方向に連続する環状凸部を有して前記蓋受け面に重ねられるとともに表面に前記蓋表示を有した蓋板と、前記ねじ山に噛合わされるねじ山を有しこれらの螺合により前記蓋取付け部に取付けられるとともに前記環状凸部を前記蓋受け面との間で挟持して前記蓋板を固定する押えリングとを備え、
前記蓋取付け部に回り止め部を設けるとともに、この回り止め部に係合する係合部を前記蓋板に設け、かつ、前記裏蓋表面の前記蓋表示を、前記係合部と前記回り止め部とが係合した状態で前記１２時ー６時方向に整合するように設けたことを特徴とする携帯時計。
【請求項２】
前記蓋取付け部が、前記蓋受け面を仕切って前記環状凸部が内側に嵌合される円環形の壁部を有し、この壁部に前記回り止め部を設けたことを特徴とする請求項１に記載の携帯時計。
【請求項３】
前記回り止め部を前記壁部の端面及び内周面に夫々開放する凹みにより形成するとともに、前記係合部を前記環状凸部から突出された突起により形成したことを特徴とする請求項２に記載の携帯時計。
【請求項４】
前記係合部が視認可能に前記蓋板の周縁部に一個のみ設けられていて、この係合部が前記回り止め部に係合された状態で前記裏蓋表面の蓋表示が前記１２時ー６時方向に整合するように前記係合部に関連付けて設けられていることを特徴とする請求項１から３の内のいずれか一項に記載の携帯時計。
【請求項５】
前記蓋取付け部のねじ山より前記胴の内部側に位置された前記蓋受け面に開放する円環形の溝を前記蓋取付け部に設け、この溝に嵌め込まれた円環形の防水パッキンを前記蓋板の裏面に密接させたことを特徴とする請求項２から４の内のいずれか一項に記載の携帯時計。
【発明の詳細な説明】
【技術分野】
【０００１】
本発明は、腕時計や懐中時計等の携帯時計に係り、特に時計ムーブメントが収納された胴に対して裏蓋が螺合して装着された携帯時計に関する。
【背景技術】
【０００２】
腕時計の裏蓋は、その表面に型押しや彫刻によって施されたマーク等の蓋表示を有していることが一般的である。腕時計の外観上の品質を高める上で、裏蓋の蓋表示の向きは、腕時計の１２時ー６時方向に整合していることが求められている。
【０００３】
そのために、従来、裏蓋の１２時−６時を通る垂直軸に対する裏蓋のアライメントを修正できるようにした技術が知られている（例えば、特許文献１参照。）。
【０００４】
この特許文献１の技術では、腕時計ケースの中間部材（胴）に下部分に押し込まれた介在部品を備え、この部品を中間部材に対して回転させることができるように設けるとともに、前記介在部品に裏蓋を螺合し装着している。介在部品は、略リング形の弾性ブロッキング部材と、この部材の内部に同心状に配置された略リング形の金属部品を備えている。弾性ブロッキング部材の外周全体にわたる突出部分が中間部材の溝に嵌められていて、金属部品に裏蓋がねじ付けられている。
【０００５】
そのため、裏蓋が金属部品に完全にねじ付けられた状態で、互いに固定されている裏蓋及び金属部品を、弾性ブロッキングに対して回転させることができる。この回転により裏蓋が中間部材に対して回転されて、裏蓋のアライメントが修正される。
【特許文献１】特開２００３−５７３６５号公報（段落０００５−００３９、図１−図８）
【発明の開示】
【発明が解決しようとする課題】
【０００６】
特許文献１は、腕時計の１２時−６時を通る垂直軸に対する裏蓋のアライメントを修正することにより、裏蓋の蓋表示の向きを腕時計の１２時−６時方向に整合させる技術を示している。このため、腕時計を組立てるに際して、裏蓋のアライメント修正作業は不可避である。
【０００７】
本発明の目的は、裏蓋のアライメント修正作業を要することなく裏蓋の蓋表示の向きを腕時計の１２時−６時方向に整合させて組立てることができる時計を提供することにある。
【課題を解決するための手段】
【０００８】
本発明は、胴に螺合された裏蓋が時刻表示部の１２時−６時方向に整合して配置される蓋表示を有した携帯時計において、前記胴がねじ山及びこのねじ山より前記胴の内部側に蓋受け面を有した円環形の蓋取付け部を備え、前記裏蓋が、周方向に連続する環状凸部を有して前記蓋受け面に重ねられるとともに表面に前記蓋表示を有した蓋板と、前記ねじ山に噛合わされるねじ山を有しこれらの螺合により前記蓋取付け部に取付けられるとともに前記環状凸部を前記蓋受け面との間で挟持して前記蓋板を固定する押えリングとを備え、前記蓋取付け部に回り止め部を設けるとともに、この回り止め部に係合する係合部を前記蓋板に設け、かつ、前記裏蓋表面の前記蓋表示を、前記係合部と前記回り止め部とが係合した状態で前記１２時−６時方向に整合するように設けたことを特徴としている。
【０００９】
本発明で、蓋取付け部の回り止め部とは、これに蓋板の係合部が係合された状態で、蓋取付け部に押えリングを螺合して締付けた際に、押えリングを締付ける回転操作によって蓋板が連れ回りすることを妨げるストッパーとして機能する構成を指している。
【００１０】
本発明で、回り止め部とこれに係合される蓋板の係合部が凹凸係合される構成である場合、その係合箇所は少なくとも一箇所あればよく、これとともに、回り止め部と係合部の内の一方は突起で他方は凹みで形成できる。
【００１１】
更に、本発明で、蓋板の係合部を突起又は凹みで形成する場合、この係合部は蓋板の周縁から突出する突起又は蓋板の周縁に開放する切り欠き状の凹みで形成でき、これに応じて回り止め部を凹み又は突起で形成して実施することができる。
【００１２】
又、本発明で、蓋板の係合部を突起で形成する場合、この突起を蓋板の周部裏面から突設し、これに対応して蓋受け面に開放する凹みからなる回り止め部を蓋取付け部に設けて実施することが可能である。しかも、これとは逆に蓋板の厚みが十分である場合には、蓋板の周部裏面に凹みからなる係合部を突設し、これに対応して蓋受け面に突起からなる回り止め部を設けて実施することも可能である。
【００１３】
本発明で、回り止め部とこれに係合される係合部とは凹凸係合される構成に限定されない。例えば、蓋板の外郭形状を規定する環状凸部を六角や八角等の偶数角又は整数角の多角形状とするとともに、これに応じた多角形状の内周面を有した環形壁部を蓋取付け部に設けて実施することも可能である。この場合、環状凸部の各角部が係合部として用いられ、円環形の壁部の内周面の隣接する二面で挟まれる各角部が回り止め部として用いられる。更に、環状凸部の少なくとも一部に歯部（係合部）を設けて、例えば環状凸部を歯車状に形成するとともに、これに応じた歯部（位置決め部）を円環形の壁部の内周に設けて、この壁部を内歯歯車形状として実施することも可能である。なお、これらの形態で実施する場合には、所定位置の係合部及び位置決め部にマーキングによりマークを付して、これらと他の位置の係合部及び位置決め部とを識別できるようにして蓋表示との関連付けをすればよい。
【００１４】
本発明で、回り止め部及び係合部は、文字板などの時刻表示部の１２時−６時方向に合わせて、言い換えれば、１２時ー６時を通る直線上に配設することが好ましいが、係合部と回り止め部とが係合した状態で蓋表示が１２時−６時方向に整合するように係合部と蓋表示が関連付けられているならば、１２時−６時方向から外れた位置に回り止め部及び係合部を設けることも可能である。
【００１５】
胴に裏蓋を固定するには、まず、胴の蓋取付け部の蓋受け面に蓋板を重ねるとともに、この蓋板の係合部を、蓋取付け部の回り止め部に係合させる。この係合により、蓋板が胴の周方向に回らないように位置決めされるとともに、この蓋板の蓋表示が携帯時計の１２時−６時方向に整合した状態に位置決めされる。次に、押えリングのねじ山を蓋取付け部のねじ山に噛合わせて押えリングをねじ込む。これにより、押えリングの内周部側部位が蓋板の環状凸部を蓋受け面との間に挟持するので、押えリングが蓋取付け部に取付けられる。すなわち、胴に裏蓋が固定される。この後者の操作の際、蓋板には押えリングの回転力が作用する。それにも拘わらず、係合部が回り止め部に係合されていることにより、蓋板が押えリングにより回転されることがない。したがって、蓋表示が１２時−６時方向に整合した状態が保持されて、胴への裏蓋の取付けが完了する。
【００１６】
以上のように本発明では、蓋板の係合部を蓋取付け部の回り止め部に係合させるという簡単な手間で、蓋表示を１２時−６時方向に整合した状態に位置決めできるとともに、この状態を保持して裏蓋を胴に固定できる。したがって、裏蓋のアライメント修正作業を要することなく裏蓋の蓋表示の向きを腕時計の１２時−６時方向に整合させて組立てることができる
本発明の好ましい形態では、蓋取付け部が、前記蓋受け面を仕切って前記環状凸部が内側に嵌合される円環形の壁部を有し、この壁部に前記回り止め部を設けている。
【００１７】
この好ましい形態では、円環形の壁部の内側に蓋板の環状凸部を嵌合させることで、胴に対してその径方向に蓋板を位置決めしてこの蓋板を蓋受け面に重ねることができる。そして、壁部の回り止め部は蓋板で覆われないので、この回り止め部を視認しつつ蓋板の係合部を回り止め部に容易に係合させることができる利点があり、それによって、既述のように蓋表示を１２時−６時方向に整合した状態に位置決めできる。
【００１８】
本発明の好ましい形態では、前記回り止め部を前記壁部の端面及び内周面に夫々開放する凹みにより形成するとともに、前記係合部を前記環状凸部から突出された突起により形成している。
【００１９】
この好ましい形態では、凹みからなる回り止め部を円環形の壁部に加工するのに、回り止め部を設ける位置を切削等により凹ませる加工を施すことで簡単に加工することができる。又、蓋板の環状凸部に突起からなる係合部を設けるには、例えば蓋板をプレス加工に打ち抜くと同時に設けることができる。したがって、回り止め部及び係合部の加工性がよく、加工コストを低減できる利点がある。
【００２０】
本発明の好ましい形態では、前記係合部が視認可能に前記蓋板の周縁部に一個のみ設けられていて、この係合部が前記回り止め部に係合された状態で前記裏蓋表面の蓋表示が前記１２時−６時方向に整合するように前記係合部に関連付けて設けられている。
【００２１】
この好ましい形態では、蓋板の係合部が単一であるので、この係合部を有した蓋板の表面に対して蓋表示を彫刻などにより形成する場合に、この蓋表示を単一の係合部を目安にしてこれに関連付けて設けることができる。したがって、裏蓋を胴に取付けて係合部を回り止め部に係合させることにより、既述のように蓋表示を１２時−６時方向に整合させることができる利点がある。
【００２２】
本発明の好ましい形態では、前記蓋取付け部のねじ山より前記胴の内部側に位置された前記蓋受け面に開放する円環形の溝を前記蓋取付け部に設け、この溝に嵌め込まれた円環形の防水パッキンを前記蓋板の裏面に密接させている。
【００２３】
この好ましい発明では、蓋板と押えリングとの間を通った水が防水パッキンに至るには、円環形の壁部及び蓋受け面が蓋板の環状凸部を回り込む必要があるとともに、押えリングと胴との間を通った水が防水パッキンに至るには、環形凸部が接した胴の円環形の壁部を回り込む必要がある。いずれにしても防水パッキンに至る水の浸入経路が迷路状となっているので、胴の内部に対する裏蓋側での防水性能を向上できる利点がある。
【発明の効果】
【００２４】
本発明の時計によれば、裏蓋のアライメント修正作業を要することなく裏蓋の蓋表示の向きを腕時計の１２時−６時方向に整合させて組立てることができる。
【発明を実施するための最良の形態】
【００２５】
図１〜図６を参照して本発明の一実施形態を説明する。
【００２６】
図１及び図２中符号１１は携帯時計例えば腕時計を示している。腕時計１１の時計外装組立１２内に、時刻表示部例えば文字板１３（図１参照）と図示しない時計ムーブメント等が収納されているとともに、時計外装組立１２には文字板１３の３時方向に位置して時計ムーブメントを操作するための竜頭１４が取付けられている。
【００２７】
時計外装組立１２は、胴１５と、縁部材２５、ガラス２７と、裏蓋３１を備えている。胴１５はステンレス鋼やチタン等の金属製である。胴１５には、時計外装組立１２の９時−３時方向に対向する一対の凸部１６が時計外装組立１２の１２時方向と６時方向に夫々突出して一体に設けられている。これら凸部１６には、図示しないが腕時計１１を人体の腕に取付けるためのベルトやバンドが取付けられる。
【００２８】
図１に示すように縁部材２５は、リング形状をなしていて、胴１５の表側に露出して胴１５に固定されている。この縁部材２５の内側に文字板１３を透視させるためのガラス２７が装着されている。
【００２９】
胴１５は、その裏側部位に蓋取付け部１７とこれを囲む第１の蓋受け面２４を備えている。第１の蓋受け面２４は、平坦面であって、蓋取付け部１７の根元から水平に張り出している。
【００３０】
図４に示すように蓋取付け部１７は、胴１５の内部１５ａを縁取りしていて、円環形に設けられている。図３及び図４に示すように蓋取付け部１７の外周にねじ山１８が形成されている。蓋取付け部１７は、第２の蓋受け面１９と円環形の壁部２０を有している。
【００３１】
第２の蓋受け面１９は、平坦面であって第１の蓋受け面２４とは異なる高さ位置、具体的には第１の蓋受け面２４より裏側（なお、図３では上側）に設けられている。壁部２０は、第２の蓋受け面１９を仕切って、これとねじ山１８との間の境界部をなして設けられている。したがって、第２の蓋受け面１９はねじ山１８より胴１５の内部１５ａ側に設けられているとともに、壁部２０に対して凹むように設けられている。
【００３２】
蓋取付け部１７に、第２の蓋受け面１９に開放する円環形の溝２１が形成されている。この溝２１に円環形の防水パッキン２２が嵌合して取付けられている。防水パッキン２２は、ゴムやエラストマ等の弾性変形が可能な材料で作られている。
【００３３】
蓋取付け部１７の円環形をなした壁部２０の所定箇所に回り止め部２３が設けられている。本実施形態の回り止め部２３は、文字板１３の１２時−６時を通る直線上に位置して、例えば１２時側に一つのみ設けられている。この回り止め部２３は、例えば壁部２０の内周面及び先端面に夫々開放する凹みにより形成されていて、壁部２０の高さ方向全長にわたり延びている。そのため、回り止め部２３の底面と第２の蓋受け面１９とは図３に示すように面一に連続している。
【００３４】
図２及び図３に示すように裏蓋３１は、蓋板３２と、押えリング３６とを備えている。蓋板３２及び押えリング３６は、胴１５と同種又は異種の金属或いは合成樹脂などからなり、本実施形態の場合は金属製である。
【００３５】
図５及び図６に示すように蓋板３２は円板からなり、その直径は第２の蓋受け面１９の大きさに見合っている。蓋板３２の周部はこの周部の下部（図３において）に設けた環状凸部３３によって段差形状に形成されている。環状凸部３３は蓋板３２の周方向に連続している。蓋板３２の裏面は平坦であり、蓋板３２の周部裏面は環状凸部３３の裏面によって形成されている。
【００３６】
図３に示すように環状凸部３３の厚み寸法は壁部２０の高さ寸法より大きい。これにより、蓋板３２の表面と後述するカバー部３６ｂの表面とが面一に連続するようになっているが、これに限らず、後述するカバー部３６ｂの厚みを代えて、このカバー部３６ｂの表面と蓋板３２の表面とを僅かな段差を形成して連続させることも可能である。
【００３７】
この蓋板３２には回り止め部２３に係合される係合部３４が設けられている。即ち、係合部３４は環状凸部３３から蓋板３２の半径方向に突出された突起により形成されている。本実施形態の場合、係合部３４は単一（一個）であり、この係合部３４は前記回り止め部２３の形状に対応した形状をなしている。係合部３４は蓋板３２が単独の状態で視認可能である。
【００３８】
図５に示すように蓋板３２の表面に蓋表示３５が設けられている。蓋表示３５は、腕時計１１の製造国及び製造番号又はマーク（図示しない）等であり、図示の蓋表示３５は左右方向に並んだ文字列からなる。この蓋表示３５は、型押しや彫刻によって蓋板３２の表面に施される。
【００３９】
この蓋表示３５は、係合部３４が回り止め部２３に係合された状態で前記１２時−６時方向に整合するように係合部３４に関連付けて設けられている。図５の例では、係合部３４が上向きに突出されているので、これと同方向に向いて蓋表示３５が設けられている。
【００４０】
既述のように蓋板３２の係合部３４は単一であるので、この係合部３４を有した蓋板３２の表面に対して蓋表示３５を彫刻などにより形成する場合に、この蓋表示３５を単一の係合部３４を目安にしてこれに関連付けて設けることができる。したがって、後述するように裏蓋３１を胴１５に取付けて係合部３４を回り止め部２３に係合させることにより、蓋表示３５を１２時−６時方向に整合させることができる。
【００４１】
図３に示すように押えリング３６は、第１の蓋受け面２４に重ねられるベース部３６ａと、壁部２０を覆って環状凸部３３に重ねられるカバー部３６ｂと、これら両者間に部位の内周面に形成されたねじ山３７を有している。
【００４２】
カバー部３６ｂの内径は蓋板３２の環状凸部３３を除いた部分の径と等しく、カバー部３６ｂの厚みは、前記除いた部分の厚み、言い換えれば、蓋板３２の表面から環状凸部３３までの厚みに等しい。ねじ山３７は胴１５のねじ山１８に噛合わされる。押えリング３６の周部表面には、この押えリング３６を回すための工具（図示しない）が係合される係合溝３８が、図２に示すように周方向に沿って等間隔に設けられている。
【００４３】
次に、胴１５の裏側に裏蓋３１を固定する手順を説明する。この場合、予め、胴１５の溝２１に防水パッキン２２が嵌合されている。
【００４４】
まず、胴１５の蓋取付け部１７が有した第２の蓋受け面１９に蓋板３２の周部を重ねて、胴１５の内部１５ａを胴１５の裏側から塞ぐ。この場合、円環形の蓋板３２は蓋取付け部１７が有した円環形の壁部２０の内側に落とし込んで嵌合されるので、胴１５に対してその径方向に蓋板３２を位置決めしてこの蓋板３２を第２の蓋受け面１９に重ねることができる。
【００４５】
この作業と同時に、蓋板３２の係合部３４を、蓋取付け部１７の回り止め部２３に上方から係合させる。この場合、係合部３４が蓋板３２で覆われないとともに、壁部２０の回り止め部２３も蓋板３２で覆われないので、これら係合部３４及び回り止め部２３を視認しつつ、係合部３４を回り止め部２３に容易に係合させることができる。
【００４６】
この係合により、蓋板３２が胴１５の周方向に対して位置決めされる。言い換えれば、蓋板３２が胴１５に対して回り止めされる。
【００４７】
回り止め部２３と蓋板３２の表面の蓋表示３５は、予め、係合部３４が回り止め部２３に係合された状態で蓋表示３５が文字板１３の１２時−６時方向に整合した状態となるように関連付けて設けられているので、蓋取付け部１７に対して以上のように蓋板３２を配置することにより、蓋板３２の蓋表示３５が腕時計１１の１２時−６時方向に整合した状態に位置決めされる。
【００４８】
この後、押えリング３６のねじ山３７を蓋取付け部１７のねじ山１８に噛合わせて押えリング３６をねじ込む。このねじ込みは係合溝３８の図示しない工具を係合させて押えリング３６を締付け方向に回転させることにより行う。
【００４９】
これにより、押えリング３６の内周部側部位をなしたカバー部３６ｂが蓋板３２の環状凸部３３を胴１５の第２の蓋受け面１９との間に挟持すると同時に、押えリング３６のベース部３６ａが胴１５の第１の蓋受け面２４に密接して、押えリング３６が蓋取付け部１７に取付けられる。すなわち、裏蓋３１が組立てられると同時に、この裏蓋３１が胴１５に固定される。
【００５０】
この場合、押えリング３６が回転操作されることに伴い、この押えリング３６の回転力が蓋板３２に作用する。それにも拘わらず、蓋板３２の係合部３４が胴１５の回り止め部２３に係合されていることにより、蓋板３２が押えリング３６に引き摺られ回転することがない。そのため、蓋表示３５が１２時−６時方向に整合した状態が維持される。
【００５１】
以上の手順から明らかなように蓋板３２の係合部３４を蓋取付け部１７の回り止め部２３に係合させるという簡単な手間で、蓋表示３５を１２時−６時方向に整合した状態を保持して、裏蓋３１を胴１５に固定できる。したがって、裏蓋３１のアライメント修正作業を要することなく裏蓋３１の蓋表示３５の向きを腕時計１１の１２時−６時方向に整合させて組立てることができる
既述の組立てに伴い、蓋板３２の周部裏面が防水パッキン２２に密接するので、この防水パッキン２２が圧縮される。このため、この防水パッキン２２により裏蓋３１側からの胴１５の内部１５ａへの水の浸入を防止できる。
【００５２】
この場合、蓋板３２と押えリング３６のカバー部３６ｂとの間を通った水が防水パッキン２２に至るには、円環形の壁部２０及び第２の蓋受け面１９が蓋板３２の環状凸部３３を回り込む必要がある。これとともに、押えリング３６と胴１５の第１の蓋受け面２４との間を通った水が防水パッキン２２に至るには、環状凸部３３が接した胴１５の円環形の壁部２０を回り込む必要がある。いずれにしても防水パッキン２２に至る水の浸入経路が迷路状となっているので、胴１５の内部１５ａに対する裏蓋３１側での防水性能を向上できる。
【００５３】
本実施形態では、円環形の壁部２０に設けた回り止め部２３が凹みで作られている。そのため、壁部２０に回り止め部２３を加工するのに、壁部２０に対して回り止め部２３が設けられる位置を、切削等により凹ませる加工を施すことで簡単に回り止め部２３を加工できる。なお、これに対して、円環形の壁部２０の内周に回り止め部２３を突出させて設ける場合、この突起からなる回り止め部２３を残して、この回り止め部２３の突出寸法に相当する深さ分、壁部２０の内周部を切削により除去するので、その加工に手間が掛かる。
【００５４】
更に、本実施形態では、蓋板３２の係合部３４が環状凸部３３から突出した突起で作られている。そのため、蓋板３２をプレス加工で打ち抜くと同時に、この蓋板３２に係合部３４を設けることができる。
【００５５】
したがって、回り止め部２３及び係合部３４を形成するための加工性がよく、加工コストを低減できる。
【００５６】
既述のように裏蓋３１は、蓋板３２と押えリング３６の二部品で作られている。そのため、蓋板３２と押えリング３６とを、腕時計１１の使用に応じた夫々異なる材質で形成することが可能である。それだけではなく、蓋板３２と押えリング３６が同じ金属材料であるかどうかを問わず、夫々単品の状態で仕上げ処理を施して夫々異なる色彩を付与することが可能である。なお、一部品である裏蓋の周部とこれに囲まれた中央部位とを夫々異なる色にするには、一方をマスキングした状態で他方に対する色付け処理をする必要があるので、作業効率が悪く製造コストが高くなる点で好ましくない。
【００５７】
又、前記構成の腕時計１１は、裏蓋３１の押えリング３６を胴１５に直接螺合することで、裏蓋３１を胴１５に固定している。そのため、特許文献１のように裏蓋３１と胴１５との間に、複数の部材を組み合わせてなる介在部品その他の部品を特別に要することがない。そのため、部品点数及び組立て工数が少なく、この点でもコストダウンが可能である。それだけではなく、前記介在部品を用いないことにより、この介在部品を配設するためのスペースを要しないことに伴い、時計外装組立て１２の外形を小さくする場合に有利である。
【図面の簡単な説明】
【００５８】
【図１】本発明の一実施形態に係る腕時計を示す正面図。
【図２】図１の腕時計を示す裏面図。
【図３】図２中Ｆ３−Ｆ３線に沿う裏蓋側の断面図。
【図４】図１の腕時計の胴を示す裏面図。
【図５】図１の腕時計が備える裏蓋の蓋板を示す正面図。
【図６】図５の蓋板が組合わされた胴を示す裏面図。
【符号の説明】
【００５９】
１１…腕時計（携帯時計）
１３…文字板（時刻表示部）
１５…胴
１５ａ…胴の内部
１７…胴の蓋取付け部
１８…蓋取付け部のねじ山
１９…第２の蓋受け面（蓋取付け部の蓋受け面）
２０…蓋取付け部の壁部
２１…蓋取付け部の溝
２２…防水パッキン
２３…蓋取付け部の回り止め部
３１…裏蓋
３２…裏蓋の蓋板
３３…蓋板の環状凸部
３４…蓋板の係合部
３５…蓋表示
３６…裏蓋の押えリング
３６ｂ…押えリングのカバー部（内周側部位）
３７…押えリングのねじ山
【図１】
2010127683.tif 000003
【図２】
2010127683.tif 000004
【図３】
2010127683.tif 000005
【図４】
2010127683.tif 000006
【図５】
2010127683.tif 000007
【図６】
2010127683.tif 000008